(57)【特許請求の範囲】
【請求項１】
第１の帽子部のクラウン部の内部空間内に第２帽子部のクラウン部が相互に二層構造を形成する様に配置されており、鍔部は、当該第１の帽子部の鍔部を構成する表裏２層を形成する２枚の第１鍔部構成層と当該第１鍔部構成層の中間部に配置された、第２の帽子部の鍔部を構成する表裏２層を形成する２枚の第２鍔部構成層とからなる４層の鍔部構成層から構成されており、且つ当該第１と第２の帽子部は、任意にその相互の配置関係が変化する様に構成されている事を特徴とする変装帽子。
【請求項２】
当該第１と第２の帽子部における少なくとも一方のクラウン部に開口部が設けられている事を特徴とする請求項１に記載の変装帽子。
【請求項３】
当該第１の帽子部の当該クラウン部は、その外部表面は当該クラウン部を構成する素材部の表面で構成され、当該第２の帽子部の当該クラウン部を構成する素材部の表面が、当該第１の帽子に於ける当該クラウン部の裏面と対向するように配置されている事を特徴とする請求項１又は２に記載の変装帽子。
【請求項４】
当該鍔部は当該４層で構成された鍔部構成層の内部２層で反転自在に形成されている事を特徴とする請求項１乃至３の何れかに記載の変装帽子。
【請求項５】
当該第１と第１の帽子部は当該開口部を介して相互に配置位置関係が変化する様に構成されている事を特徴とする請求項２乃至４の何れかに記載の変装帽子。
【請求項６】
当該鍔部は、第１の帽子部の鍔部の表面を構成する布帛の表地面が表面を形成し、その裏面が当該鍔部の内部に対向して配置されている第１の鍔部層、当該第１の鍔部層の裏面に対向して当該第２の帽子部の鍔部の裏面を構成する布帛の裏地面が配置され、その表面が当該鍔部の内部に面して配置されている第２の鍔部層、当該当該第２の帽子部の鍔部の表面を構成する布帛の表地が当該第２の鍔部層の表面に対向して配置され、その裏面がその反対側の面を形成している第３の鍔部層、及び当該第３の鍔部層の表地面と対向して、第１の帽子部の当該鍔部の裏面を構成する布帛の裏地面が配置され且つ、その反対側の表面が当該第１の帽子部の鍔部の裏面を形成している第４の鍔部層とがこの順に相互に積層されている事を特徴とする請求項１乃至５の何れかに記載の変装帽子。
【請求項７】
当該第２の帽子部に対応する鍔部の表裏面を形成する当該第２及び第３の鍔部層は、当該鍔部を構成する布帛が中表に積層されている事を特徴とする請求項６に記載の変装帽子。
【請求項８】
当該鍔部の外周縁部は、当該積層された第１乃至第４の鍔部層の外周縁端部が一体的に逢着せしめられており且つ当該逢着部は、当該鍔部の内部に折り込まれている事を特徴とする請求項６又本発明７に記載の変装帽子。
【請求項９】
当該鍔部の外周縁部は、当該第１の帽子部と対応する鍔部の表面を構成する布帛と、当該第１の帽子部と対応する鍔部の裏面を構成する布帛とを中表となるように重ね合わせた一対の第１の鍔部構成布帛層群と、当該第２の帽子部と対応する鍔部の表面を構成する布帛と、当該第２の帽子部と対応する鍔部の裏面を構成する布帛とを中表となるように重ね合わせた一対の第２の鍔部構成布帛層群を相互に重畳させ、当該重畳布帛層群の外周縁部を当該一体的に逢着し、当該第１若しくは第２の鍔部構成布帛層群の何れか一方の対に於ける最外層部を構成する布帛を反転させて、他方の最外層部を構成する布帛の上側に配置せしめた事を特徴とする請求項８に記載の変装帽子。
【請求項１０】
当該第１の鍔部層と第２の鍔部層とが、当該第１の帽子部に於けるクラウン部の下端部周縁に一体的に接合せしめられており、当該第３の鍔部層と第４の鍔部層とが、当該第２の帽子部に於けるクラウン部の下端部周縁に一体的に接合せしめられている事を特徴とする請求項１乃至９の何れかに記載の変装帽子。
【発明の詳細な説明】
【０００１】
【発明の属する技術】
本発明は、変装帽子に関するものであって、特に詳しくは、一つの帽子体が、任意に少なくとも柄、色、形状の何れかが異なる、他の帽子体に容易に変更することを可能とする変装帽子に関するものである。
【０００２】
【従来の技術】
従来より、一つの帽子体をリバーシブルに形成して、２つの異なった帽子体として使用することが提案されて来ているが、多くの場合には、単に、一つの帽子体を相互に異なる布帛素材、或いは色若しくは柄模様を異にする２枚の布帛を中裏に重ねあわせ二重に縫製して帽子部を構成し、ユーザーの好みに応答して、一方の柄或いは模様、色等を有する帽子として使用したり、それを反転させて別の布帛素材、或いは色若しくは柄模様を有する帽子として使用することが一般的である。
【０００３】
然しながら、上記の従来例にあっては、当該帽子体のクラウン部は、その形状が一つの形に限定されてしまい、又、当該帽子の鍔部は、平坦な板状体で構成されるので、反転しても、帽子体そのものの形状は殆ど変化せず、単に色が、柄或いは布帛の素材の面で変化が見られる程度の差でしかなく、新味に乏しい帽子と言わざるをえなかった。
【０００４】
【発明が解決しようとする課題】
本発明の目的は上記従来に於ける欠点を解決し、相互の変装操作が簡易で容易に１つのデザインからなる帽子体から他のデザインを有する帽子体へ変化させる事が可能な、変装帽子を提供するものである。
【０００５】
【課題を解決するための手段】
本発明は上記した目的を達成する為、以下に示す様な基本的な技術構成を採用するものである。即ち、本発明に於ける基本的な態様は、第１の帽子部のクラウン部の内部空間内に第２帽子部のクラウン部が相互に二層構造を形成する様に配置されており、鍔部は、当該第１の帽子部の鍔部を構成する表裏２層を形成する２枚の第１鍔部構成層と当該第１鍔部構成層の中間部に配置された、第２の帽子部の鍔部を構成する表裏２層を形成する２枚の第２鍔部構成層とからなる４層の鍔部構成層から構成されており、且つ当該第１と第２の帽子部は、任意にその相互の配置関係が変化する様に構成されている変装帽子である。
【０００６】
【発明の実施の形態】
本発明の変装帽子は、上記した様な技術構成を採用しているので、１つの帽子体で有りながら、少なくとも２種類の相互にデザイン、色、柄、素材等の少なくともいずれか一つが異なっている帽子の一つを任意に且つ自在に選択して使用することが可能となる。
【０００７】
【実施例】
以下に、本発明に係る変装帽子の一具体例の構成を図面を参照しながら詳細に説明する。
【０００８】
即ち、図１は、本発明に係る変装帽子の一具体例の構成を示す断面図であって、図中、第１の帽子部１のクラウン部１１の内部空間１８内に第２帽子部２のクラウン部２１が相互に二層構造を形成する様に配置されており、鍔部３は、当該第１の帽子部１の鍔部層５０を構成する表裏２層３２、３３を形成する第１鍔部層３２と第４鍔部層３３、及び、当該第１鍔部構成層５０の中間部に配置された、第２の帽子部２の鍔部層４０を構成する表裏２層４１、４２を形成する第２鍔部層４２と第３鍔部層４１、とからなる４層の鍔部構成層７０から構成されており且つ当該第１と第２の帽子部１，２は、任意にその相互の配置関係が変化する様に構成されている変装帽子１００が示されている。
【０００９】
本発明における変装帽子体１００を構成する当該第１の帽子部１の当該クラウン部１１は、その外部表面１１ａは当該クラウン部１１を構成する素材部，例えば布帛部層の表地表面部１１ａｓで構成され、その裏面１１ｂの裏地表面部１１ｂｓは当該第1の帽子体１の当該クラウン部１１の内部空間部１８に対向するように配置されており、当該第２の帽子部２の当該クラウン部２１を構成する素材部の外部表面２１ａの表地表面部２１ａｓが、当該第１の帽子１に於ける当該クラウン部１１の裏面１１ｂと対向するように配置されている事が好ましい。
【００１０】
即ち、本発明における当該変装帽子１００の一具体例に於いては、少なくとも２種類のクラウン部１１、２１が個別に使用され、且つ各クラウン部１１，２１は、１のクラウン部を構成する布帛の裏地表面１１ｂｓで構成される内部空間部１８の内部に、別のクラウン部２１の表地表面２１ａｓが対向するように挿入されている配置構造を採るものである。
【００１１】
本発明における当該第１と第２のクラウン部１１，２１の形状、大きさ、デザインは、相互に異なる様に設計することが可能であり、又、素材或いは色、柄等を異にするよう設計することも可能である。
【００１２】
本発明における当該第１と第２のクラウン部１１，２１に於いては、少なくともサイズ元の寸法、つまり週縁長は略同一となるように設計することが望ましい。
【００１３】
又、本発明における当該変装帽子１００に於いては、当該第１と第２の帽子部１，２における少なくとも一方のクラウン部１１或いは２１の一部に開口部６０が設けられている事が望ましい。
【００１４】
かかる開口部６０は、当該開口部６０を介して他方のクラウン部２及び後述する鍔部３を図５に例示する様に、通過させる事によって両者を反転させ、上記した第１のクラウン部１１と第２のクラウン部２１との配置関係を相対的に変化させ、且つ当該鍔部も反転折り返して、逆転させるものである。
【００１５】
次に、本発明における当該変装帽子１００で使用される鍔部３の具体的な構成例を説明する。
【００１６】
即ち、本発明における当該鍔部３は、上記した通り、鍔部３は、当該第１の帽子部１の鍔部層５０を構成する表裏２層３２、３３を形成する第１鍔部層３２と第４鍔部層３３、及び、当該第１鍔部構成層５０の中間部に配置された、第２の帽子部２の鍔部層４０を構成する表裏２層４１、４２を形成する第２鍔部層４２と第３鍔部層４１、とからなる４層の鍔部構成層７０から構成されており、且つ当該鍔部は当該４層で構成された鍔部構成層７０の内部２層、例えば、上記した第２及び第３の鍔部層を中心として反転自在に形成されている事が望ましい。
【００１７】
本発明における当該鍔部３の構造を更に詳しく説明するならば、図１に示す様に、１の帽子部１の鍔部３の表面１２を構成する当該第１の鍔部層３２の布帛の表地面１２ａが当該鍔部３の表面を形成し、その裏地面１２ｂが当該鍔部３の内部に対向して配置されている第１の鍔部層３２、当該第１の鍔部層３２の裏面に対向して当該第２の帽子部の鍔部の裏面３９を構成する布帛の裏地面２２ｂが配置され、その表地面２２ａが当該鍔部の内部に面して配置されている第２の鍔部層４２、当該第２の帽子部２の鍔部の表面４０を構成する布帛の表地面２３ａが当該第２の鍔部層４２の表面に対向して配置され、その裏地面２３ｂがその反対側の面を形成している第３の鍔部層４１、及び当該第３の鍔部層４１の裏地面２３ｂと対向して、第１の帽子部１の当該鍔部の裏面１３を構成する布帛の裏地面１３ｂが配置され且つ、その反対側の表地面１３ａが当該第１の帽子部の鍔部を構成する布帛の表面を形成している第４の鍔部層３３とがこの順に相互に積層されているものである。
【００１８】
つまり、本発明に於ける当該変装帽子１００に於いては、当該鍔部３は、４層の布帛で構成される事が必要であり、更には、当該第２の帽子部２に対応する鍔部の表裏面を形成する当該第２及び第３の鍔部層４２，４１は、当該鍔部を構成する布帛が中表に積層されている事が必要である。
【００１９】
本発明にかかる上記変装帽子１００を製造する方法を説明するならば、先ず、第１の帽子体１のクラウン部１１と第２の帽子体２のクラウン部２１とを別々に製造しておく。
【００２０】
それらのデザイン、構成素材、大きさ、色或いは柄等は、任意に異ならせて準備する。
【００２１】
次いで、当該２つのクラウン部１１若しくは２１の何れかの一部に適宜の長さをもつ直線状或いは湾曲状の開口部６０を形成する。
【００２２】
当該開口部６０の長さ或いは大きさは、特には限定されないが、他方のクラウン部と鍔部３と容易に通過して反転操作が実行しえる寸法であることが望ましい。
【００２３】
当該開口部６０は、必要に応じてファスナー、チャック、面圧接合体等を配置して開口部６０の開閉を行えるように構成すると同時に、当該開口部６０をアクセント部として利用することが可能である。
【００２４】
例えば、当該開口部にリボン或いはペンダント、キャラクタグッズ等を付加することも可能である。
【００２５】
又、上記第１と第２のクラウン部１１と２１のサイズ元部の周縁長は、双方略同一に設計する事が望ましい。
【００２６】
かかる設計を採用する事によって、例えば、第１のクラウン部１１の内側空間部１８内に第２のクラウン部２１が挿入された際に、両者が相互に強固に嵌合でき、帽子全体の形状の安定化に寄与すると共に、鍔部の形状の安定化にも貢献できる事になる。
【００２７】
次に、本発明に於ける帽子体１００の鍔部の製造方法の一例を以下に説明する。
【００２８】
即ち、本発明に於ける当該鍔部３の外周縁部８０は、当該第１の帽子部と対応する鍔部の表面を構成する布帛と、当該第１の帽子部と対応する鍔部の裏面を構成する布帛とを中表となるように重ね合わせた一対の第１の鍔部構成布帛層群と、当該第２の帽子部と対応する鍔部の表面を構成する布帛と、当該第２の帽子部と対応する鍔部の裏面を構成する布帛とを中表となるように重ね合わせた一対の第２の鍔部構成布帛層群を相互に重畳させ、当該重畳布帛層群の外周縁部を当該一体的に逢着し、当該第１若しくは第２の鍔部構成布帛層群の何れか一方の対に於ける最外層部を構成する布帛を反転させて、他方の最外層部を構成する布帛の上側に配置せしめた事を特徴とするものである。
【００２９】
上記の構成をより詳細に説明するならば、即ち、図２(Ａ)に示す様に、所定の布帛素材から、当該各クラウン部のサイズ元の寸法に合わせて、略円環状に切り出した鍔部形成材料を、先ず、第２の帽子体の第２のクラウン部２１に対応する鍔部の裏面３９を構成する第２の鍔部層４２と第２の帽子体の第２のクラウン部２１に対応する鍔部の表面４０を構成する第３の鍔部層４１とを中表にして重ねあわせて積層体を形成すると共に、その下方部に、第１の帽子体の第１のクラウン部１１に対応する鍔部の裏面１３を構成する第４の鍔部層３３と第１の帽子体の第１のクラウン部１１に対応する鍔部の表面１２を構成する第１の鍔部層３２とを中表にして重ねあわせた積層体を重ね合わせて４層の鍔部層からなる積層体を形成した後、その一方の端縁部を一体的に逢着して固定すると共に、その後、図２（Ｂ）に示す様に、逢着された一方の端部を湾曲させ、次いで、図２（Ｃ）に示す様に、最下段の第１の鍔部層３３を、当該第２の鍔部層４２の上方に反転させて当該第２の鍔部層４２を被覆するようにして鍔部３を形成する。
【００３０】
つまり、本発明に於ける当該鍔部３の外周縁部８０は、当該積層された第１乃至第４の鍔部層の外周縁端部が一体的に逢着せしめられており且つ当該逢着部は、当該鍔部の内部に折り込まれているものである事が望ましい。
【００３１】
一方、当該鍔部３に於ける他の端部８１は、例えば、当該第１の鍔部層３２と第２の鍔部層４２とが、当該第１の帽子部１に於けるクラウン部１１の下端部周縁つまりサイズ元の下端部８３に一体的に逢着され、他方、当該第３の鍔部層４１と第４の鍔部層３３とが、当該第２の帽子部２に於けるクラウン部２１の下端部周縁８４に一体的に接合せしめられている事が望ましい。
【００３２】
当該逢着に際しては、当該鍔部３に於ける第１の鍔部層３２と第２の鍔部層４２との間に必要に応じて適宜の芯材８５を介在させることが望ましく、同様に、当該第３の鍔部層４１と第４の鍔部層３３との間にも必要に応じて適宜の芯材８６を介在させることが望ましい。
【００３３】
又、当該鍔部と当該クラウン部とを個別に逢着する際には、当該それぞれのクラウン部のサイズ元部の内側部内に適宜のベルト材８７或いは８８を併用して、その一縁部を当該クラウン部と当該鍔部との逢着部に同時に縫合することも望ましい。
【００３４】
かかる構成によって、図３に示すように第１と第２の帽子体１，２が固定的に相互に嵌合しあう事によって帽子としての形状を安定化すると同時に着用時の違和感が解消出来る。
【００３５】
【発明の効果】
本発明は、上述した様な構成を採用しているので、一つの選択された態様に於いては、図４（Ａ）に示す様な形状、デザインの帽子体が得られ、又他の選択時には、図４（Ｂ）に示す様な形状、デザインの帽子体が得られに、更には、当該鍔部３内の芯部８５或いは８６を適宜の柔軟性と形状維持機能を持つ材料を採用する事によって、図４（Ｃ）に示す様な鍔部形状を持った帽子体が得られる事にKなる。
【００３６】
更に、従来のリバーシブル帽子にあっては、１枚の布帛で構成されたクラウン部の表裏面を何れもその帽子の表面として使用するものであるので、当該クラウン部の内側、つまり当該クラウン部の裏側は、別の帽子の表面が配置される事になるので、使用中に当該別の帽子の表面が、肌や頭髪に直接触れることになり、その結果、汗或いは油等で汚れてしまい、次に別の帽子を表にして使用する際、そのクラウン部の表面が汚れて見えるという問題があるが、本発明に於ける変装帽子は、当該クラウン部が二重になっていて且つその内部は、隠れているクラウン部の裏地が表出しているので、その表地が汗或いは油等で汚れてしまうことは無いので、当該隠れているクラウン部を表に使用した場合でも当該クラウン部の表面の汚れは防止でき長期間、使用することが可能となる。
【図面の簡単な説明】
【図１】図１は、本発明に係る変装帽子の一具体例を示す断面図である。
【図２】図２は、本発明に係る変装帽子の製造方法の一具体例を示す図である。
【図３】図３は、本発明に於ける変装帽子の完成状態の例を示す断面図である。
【図４】図４は、本発明に係る変装帽子の外観例を示す斜視図である。
【図５】図５は、本発明に係る変装帽子の変装手順を説明する図である。
【符号の説明】
１  第１の帽子部
１１  第１の帽子部のクラウン部
１８  クラウン部の内部空間
２  第２帽子部
２１  第２帽子部２のクラウン部
３  鍔部
５０  第１の帽子部の鍔部層
３２  第１鍔部層
３３  第４鍔部層
４０  第２の帽子部の鍔部層
４２  第２鍔部層
４１  第３鍔部層
７０  ４層の鍔部構成層
１００  変装帽子
６０  開口
８０  鍔部の外周縁部
８１  鍔部の他の端部
８３  サイズ元の下端部
８４  クラウン部の下端部周縁
８５  芯材
８６  芯材
８７，８８  ベルト材
【図１】
0003717857.tif 000002
【図２】
0003717857.tif 000003
【図３】
0003717857.tif 000004
【図４】
0003717857.tif 000005
【図５】
0003717857.tif 000006